(57)【特許請求の範囲】
【請求項１】
互いに噛み合い開放自在で対向した裏噛み合い列および表噛み合い列を具備するファスナーと、それぞれ可撓性を具備する裏面材、仕切り面材および表面材とを有し、
前記裏噛み合い列は、前記表噛み合い列の表第一噛み合い部に噛み合う裏第一噛み合い部を具備し、
前記裏噛み合い列は、前記表噛み合い列の表第二噛み合い部に噛み合う裏第二噛み合い部を具備し、
前記裏噛み合い列は、前記表噛み合い列の表第三噛み合い部に噛み合う裏第三噛み合い部を具備し、
前記裏噛み合い列は、前記表噛み合い列の表第四噛み合い部に噛み合う裏第四噛み合い部を具備し、
前記裏面材の裏第一側縁部、裏第二側縁部、裏第三側縁部および裏第四側縁部にそれぞれ、前記裏第一噛み合い部、前記裏第二噛み合い部、前記裏第三噛み合い部および前記裏第四噛み合い部が設置され、
前記表面材の表第一側縁部、表第二側縁部、表第三側縁部および表第四側縁部にそれぞれ、前記表第一噛み合い部、前記表第二噛み合い部、前記表第三噛み合い部および前記表第四噛み合い部が設置され、
前記裏第三側縁部および前記裏第四側縁部にそれぞれ、前記仕切り面材の仕切り第三側縁部および仕切り第四側縁部が設置され、
前記表第一側縁部および前記表第二側縁部にそれぞれ、前記仕切り面材の仕切り第一側縁部および仕切り第二側縁部が設置されており、
前記ファスナーは、一本の線ファスナーからなる、ことを特徴とする二重収納体。
【請求項２】
前記裏面材、前記仕切り面材および前記表面材はそれぞれ略矩形形状であることを特徴とする請求項１に記載の二重収納体。
【請求項３】
二重収納袋であることを特徴とする請求項１または２に記載の二重収納体。
【請求項４】
カバンであることを特徴とする請求項１または２に記載の二重収納体。
【請求項５】
財布であることを特徴とする請求項１または２に記載の二重収納体。
【発明の詳細な説明】
【技術分野】
【０００１】
本発明は、裏面材、仕切り面材および表面材とで二つの収納部を構成し、各内部に収に物を収納容できる二重収納体、例えば二重収納袋やカバン、財布のような製品に関する。
【０００２】
従来より、二重収納体の構造を有する製品として収納袋（カバン等）や財布などが知られている（例えば特許文献１及び特許文献２参照）。
特許文献１に開示の技術では、内外両バッグの各開口部に共用できるファスナーを取りつけて各共用ファスナーの組み合わせにより二重バッグの多種な使用用途を広げ、また、用途に応じた各ファスナーの係合や取外しを可能とした二重バッグ構造を実現している。
【０００３】
特許文献２に開示の技術では、財布の携帯時の状態において紙幣収納部と硬貨収納部とが実質共通の平面内に位置するように構成している。これによって、共通収納口から紙幣と同時に入れた硬貨が紙幣収納部の底に形成された硬貨通過口を通って紙幣から分別された後、紙幣収納部及び硬貨収納部との両方が位置する共通の平面に沿って紙幣収納部の硬貨通過口から硬貨収納部に確実に達し、硬貨収納部に確実に収納されようになっている。
【０００４】
一般的に、二重収納体の構造を有する二重収納袋は、裏面材と仕切り面材とによって形成される第一収納部と、仕切り面材と表面材とによって形成される第二収納部とを有し、第一収納部の口（出し入れのための開口部）には第一ファスナーが設置され、第二収納部の口（出し入れのための開口部）には第二ファスナーが設置されていた。
【先行技術文献】
【特許文献】
【０００５】
【特許文献１】特開２０２０―１４７５０号公報
【特許文献２】特開平１１−１２７９２８号公報
【発明の概要】
【発明が解決しようとする課題】
【０００６】
上述のような二重収納袋は、第一収納部の口および第二収納部の口とが、同じ側縁に平行に配置された場合には、２つのファスナーの厚を合わせた厚みが当該側縁に形成されるため、特に、収納物がない状態や薄い場合には、持ち運び時にかさばるという課題があった。
【０００７】
特許文献１に開示の技術では、比較的大柄なバックでは、厚さが気にならないが、小さなバックや袋では、厚さが気になってしまうと言う課題が残っていた。
特許文献２に開示の技術では、財布の携帯時の状態において紙幣収納部と硬貨収納部とが実質上共通の平面内に位置するように構成することで、共通収納口から紙幣と同時に入れた硬貨が紙幣収納部の底に形成された硬貨通過口を通って紙幣から分別された後、紙幣収納部及び硬貨収納部との両方が位置する共通の平面に沿って紙幣収納部の硬貨通過口から硬貨収納部に確実に達し得ることから、硬貨収納部に確実に収納され得るようになっている。しかし、収容開口（ファスナ等が設置される領域）の厚さに対する対策が不十分で別の技術が求められていた。
【０００８】
本発明はこのような状況に鑑みなされたものであって、本発明は上記課題を解決することを目的とする。
【課題を解決するための手段】
【０００９】
本発明の二重収納体（１００）は、
互いに噛み合い開放自在で対向した裏噛み合い列（１）および表噛み合い列（２）を具備するファスナー（１０）と、それぞれ可撓性を具備する裏面材（５）、仕切り面材（６）および表面材（７）とを有し、
前記裏噛み合い列（１）は、前記表噛み合い列（２）の表第一噛み合い部（２ａ）に噛み合う裏第一噛み合い部（１ａ）を具備し、
前記裏噛み合い列（１）は、前記表噛み合い列（２）の表第二噛み合い部（２ｂ）に噛み合う裏第二噛み合い部（１ｂ）を具備し、
前記裏噛み合い列（１）は、前記表噛み合い列（２）の表第三噛み合い部（２ｃ）に噛み合う裏第三噛み合い部（１ｃ）を具備し、
前記裏噛み合い列（１）は、前記表噛み合い列（２）の表第四噛み合い部（２ｄ）に噛み合う裏第四噛み合い部（１ｄ）を具備し、
前記裏面材（５）の裏第一側縁部（５ａ）、裏第二側縁部（５ｂ）、裏第三側縁部（５ｃ）および裏第四側縁部（５ｄ）にそれぞれ、前記裏第一噛み合い部（１ａ）、前記裏第二噛み合い部（１ｂ）、前記裏第三噛み合い部（１ｃ）および前記裏第四噛み合い部（１ｄ）が設置され、
前記表面材（７）の表第一側縁部（７ａ）、表第二側縁部（７ｂ）、表第三側縁部（７ｃ）および表第四側縁部（７ｄ）にそれぞれ、前記表第一噛み合い部（２ａ）、前記表第二噛み合い部（２ｂ）、前記表第三噛み合い部（２ｃ）および前記表第四噛み合い部（２ｄ）が設置され、
前記裏第三側縁部（５ｃ）および前記裏第四側縁部（５ｄ）にそれぞれ、前記仕切り面材（６）の仕切り第三側縁部（６ｃ）および仕切り第四側縁部（６ｄ）が設置され、
前記表第一側縁部（７ａ）および前記表第二側縁部（７ｂ）にそれぞれ、前記仕切り面材（６）の仕切り第一側縁部（６ａ）および仕切り第二側縁部（６ｂ）が設置されており、前記ファスナー（１０）は、一本の線ファスナーからなる。
本発明の二重収納体（１００）において、
前記裏面材（５）、前記仕切り面材（６）および前記表面材（７）はそれぞれ略矩形形状であってもよい。
本発明の二重収納体（１００）において、
収納袋であってもよい。
本発明の二重収納体（１００）において、
財布であってもよい。
【発明の効果】
【００１０】
本発明の二重収納体によれば、一本のファスナーで二つの収納部を展開自在に構成するため、収納物がない状態や薄い場合には、持ち運び時等においてかさばるといった、厚みに起因するユーザの不満を解消することができる。
【図面の簡単な説明】
【００１１】
【図１】実施形態に係る、二重収納袋の正面図である。
【図２】実施形態に係る、二重収納袋の背面図である。
【図３】実施形態に係る、図１に示した二重収納袋の正面図の分解図である。
【図４】実施形態に係る、ファスナーの平面図である。
【図５】実施形態に係る、第１収納部が開いた状態の二重収納袋の斜視図である。
【発明を実施するための形態】
【００１２】
以下、本発明の実施の形態について、図面を用いて説明する。本実施形態では、二重収納体として二重収納袋（例えばパスポートケースやカードケース）に適用した一例について説明するが、他にカバンや財布などについても適用することができる。また、以下の説明において、表裏については便宜的な呼称である。
【００１３】
＜二重収納袋１００の概要＞
図１は二重収納袋１００の正面図ある。図２は背面図である。また、図３は図１に示した二重収納袋１００の正面図を分解して示した分解図である。
【００１４】
二重収納袋１００は、裏面材５と、仕切り面材６と、表面材７と、一つのファスナー１０とを備える。本実施形態において、ファスナー１０は線ファスナー（ジッパー、チャックともいう）であるが、その他の種類のファスナーが用いられてもよい。
【００１５】
裏面材５、仕切り面材６、表面材７は、略矩形形状であって、可撓性の材質で形成されている。可撓性の材質の材質として、布（綿、合成繊維など）や革などがある。
【００１６】
裏面材５と表面材７とは、それらの側縁（外周縁）がファスナー１０によれ展開自在（開閉自在）に取りつけられている。さらに、裏面材５と表面材７との間には、仕切り面材６が設けられている。
【００１７】
二重収納袋１００の構成部材（すなわち裏面材５、仕切り面材６、表面材７、ファスナー１０）の取付態様については後述するが、二重収納袋１００は、二つの収納空間（収納部）を有する。すなわち、裏面材５と表面材７とで形成される収納空間を、仕切り面材６で二つの収納空間に分離している。具体的には、裏面材５と仕切り面材６とで裏面側収納空間（第１収納部）が形成される。表面材７と仕切り面材６とで表面側収納空間（第２収納部）が形成される。
【００１８】
本実施形態の特徴として、裏面側収納空間（第１収納部）の展開口と、表面側収納空間（第２収納部）とは、共通のファスナー１０で開閉自在に構成されている。ただし、裏面側収納空間（第１収納部）の展開口と、表面側収納空間（第２収納部）の展開口は、ファスナー１０の異なる領域により、開閉自在となっている。
【００１９】
＜二重収納袋１００の構成部材の取付態様＞
図１〜図４を参照して構成部材の取付態様を説明する。図４はファスナー１０の平面図であり、ここでは、ファスナー１０を基準として、裏面材５と表面材７との取付部分を模式的に示している（すなわち、本来は矩形形状の側縁形状を直線として示している）。
【００２０】
ファスナー１０は、上述のように線ファスナーであって、互いに噛み合い開放自在で対向した裏噛み合い列１および表噛み合い列２を有する。裏噛み合い列１および表噛み合い列２は、それぞれ噛み合い部分と反対側に設けられたテープ部１２により、裏面材５や表面材７に取りつけられる。
【００２１】
ファスナー１０には、一方の端部に第一スライダー３ａが取りつけられ、他方の端部に第一スライダー３ｂが取りつけられ、開閉するときに裏噛み合い列１及び表噛み合い列２をかみ合わせたり離したりする。
【００２２】
裏噛み合い列１は、一方の端部から他方の端部へ向かって（図４では図上側から下側に向かって）、裏第一噛み合い部１ａと、裏第二噛み合い部１ｂと、裏第三噛み合い部１ｃと、裏第四噛み合い部１ｄとを有する。
【００２３】
表噛み合い列２は、一方の端部から他方の端部へ向かって（図４では図上側から下側に向かって）、表第一噛み合い部２ａと、表第二噛み合い部２ｂと、表第三噛み合い部２ｃと、表第四噛み合い部２ｄとを有する。
【００２４】
裏第一噛み合い部１ａは表第一噛み合い部２ａと噛み合う。裏第二噛み合い部１ｂは表第二噛み合い部２ｂと噛み合う。裏第三噛み合い部１ｃは表第三噛み合い部２ｃと噛み合う。裏第四噛み合い部１ｄは表第四噛み合い部２ｄと噛み合う。
【００２５】
ファスナー１０の長手方向の略中央には中央止部４ｃが設けられている。中央止部４ｃは、二重収納袋１００の第三角部８ｃに対応する位置に設けられ、第一スライダー３ａ及び第二スライダー３ｂの移動を規制する。
【００２６】
すなわち、第一スライダー３ａは、第一角部８ａ〜第二角部８ｂ〜第三角部８ｃの領域、すなわち、裏第一噛み合い部１ａと表第一噛み合い部２ａとの噛み合い部分と、裏第二噛み合い部１ｂと表第二噛み合い部２ｂとの噛み合い部分を移動して開閉する。
【００２７】
また、第二スライダー３ｂは、第三角部８ｃ〜第四角部８ｄ〜第一角部８ａの領域、すなわち、裏第三噛み合い部１ｃと表第三噛み合い部２ｃとの噛み合い部分、裏第四噛み合い部１ｄと表第四噛み合い部２ｄとの噛み合い部分を移動して開閉する。
【００２８】
裏面材５は、図示のように、矩形形状の辺（側縁外郭線）として、裏第一側縁部５ａ、裏第二側縁部５ｂ、裏第三側縁部５ｃ及び裏第四側縁部５ｄを有する。
【００２９】
裏第一側縁部５ａは、テープ部１２を介して裏第一噛み合い部１ａに取りつけられる。裏第二側縁部５ｂは、テープ部１２を介して裏第二噛み合い部１ｂに取りつけられる。裏第三側縁部５ｃは、テープ部１２を介して裏第三噛み合い部１ｃに取りつけられる。裏第四側縁部５ｄは、テープ部１２を介して裏第四噛み合い部１ｄが取りつけられる。
【００３０】
表面材７は、図示のように、矩形形状の辺（側縁外郭線）として、表第一側縁部７ａ、表第二側縁部７ｂ、表第三側縁部７ｃ及び表第四側縁部７ｄを有する。
【００３１】
表第一側縁部７ａは、テープ部１２を介して表第一噛み合い部２ａに取りつけられる。表第二側縁部７ｂは、テープ部１２を介して表第二噛み合い部２ｂに取りつけられる。表第三側縁部７ｃは、テープ部１２を介して表第三噛み合い部２ｃに取りつけられる。表第四側縁部７ｄは、テープ部１２を介して表第四噛み合い部２ｄが取りつけられる。
【００３２】
仕切り面材６は、図示のように、矩形形状の辺（側縁外郭線）として、仕切り第一側縁部６ａ、仕切り第二側縁部６ｂ、仕切り第三側縁部６ｃ及び仕切り第四側縁部６ｄを有する。
【００３３】
裏面材５の裏第三側縁部５ｃおよび裏第四側縁部５ｄにそれぞれ、仕切り面材６の仕切り第三側縁部６ｃおよび仕切り第四側縁部６ｄが取りつけられる。
【００３４】
表面材７の表第一側縁部７ａおよび表第二側縁部７ｂにそれぞれ、仕切り面材６の仕切り第一側縁部６ａおよび仕切り第二側縁部６ｂが取りつけられている。設置されている。
【００３５】
なお、裏面材５と仕切り面材６、裏面材５と表面材７の取付方法は、縫製、接着などであってよく、特に限定はしない。
【００３６】
このような構成により、二重収納袋１００は、二つの収納空間（収納部）を有する。すなわち、裏面材５と表面材７とで形成される収納空間を、仕切り面材６で二つの収納空間に分離している。
【００３７】
さらに図５に示す二重収納袋１００の斜視図を参照して、裏面材５と仕切り面材６とで形成される裏面側収納空間（第１収納部Ａ）について説明する。
【００３８】
第一スライダー３ａが中央止部４ｃまで移動すると、裏面側収納空間（第１収納部）は、裏第一噛み合い部１ａと表第一噛み合い部２ａとの噛み合い部分と、裏第二噛み合い部１ｂと表第二噛み合い部２ｂとの噛み合い部分を開く。すなわち、裏面側収納空間（第１収納部Ａ）は、上記噛み合い部分で開口部分を展開する（換言すると内部を露出させる）。
【００３９】
このとき、仕切り面材６と表面材７とは、表第一側縁部７ａと仕切り第一側縁部６ａの取付部６３、表第二側縁部７ｂと表第二側縁部７ｂとの取付部６４で固定されることから（例えば図２、図５参照）、表面材７と仕切り面材６とで形成された裏面側収納空間（第１収納部Ａ）は、この部分では、常時閉状態が維持される。
【００４０】
表面材７と仕切り面材６とで形成される表面側収納空間（第２収納部）についても同様であり、第二スライダー３ｂが中央止部４ｃまで移動すると、表面側収納空間（第２収納部）は、裏第三噛み合い部１ｃと表第三噛み合い部２ｃとの噛み合い部分と、裏第四噛み合い部１ｄと表第四噛み合い部２ｄとの噛み合い部分を開く。すなわち、表面側収納空間（第２収納部）は、上記噛み合い部分で開口部分を展開する（換言すると内部を露出させる）。
【００４１】
このとき、仕切り面材６と裏面材５とは、仕切り第三側縁部６ｃと裏第三側縁部５ｃの取付部６１と、仕切り第四側縁部６ｄと裏第四側縁部５ｄの取付部６２とで固定されることから（例えば図１参照）、表面材７と仕切り面材６とで形成された表面側収納空間（第１収納部）は、この部分では、常時閉状態が維持される。
【００４２】
＜実施形態の作用・効果＞
実施形態の特徴（作用・効果）をまとめると次の通りである。
従来技術の二重収納袋では、第一収納部の口および第二収納部の口とが、同じ側縁に平行に配置された場合には、２つのファスナーの厚を合わせた厚みが当該側縁に形成されるため、特に、（課題１）収納物がない状態や薄い場合には、持ち運び時にかさばるという問題や（課題２）仕切り面材の側縁部の両面には、それぞれ２つのファスナーの一方の噛み合わせ列同士が対向した状態で設置されるため、設置（縫い合わせ）が煩雑になるという問題があった。また、（課題３）裏面材と仕切り面材とに跨がって第一ファスナーを設置する作業と、仕切り面材と表面材とに跨がって第二ファスナーを設置する作業とを一気に実施することができないため、作業に時間がかかるという問題があった。なお、第一収納部の口及び第二収納部の口とが、それぞれ相違する側縁に配置された場合にはファスナー部分の厚みが略２倍になることはない。
【００４３】
しかしながら、本実施形態の二重収納袋１００では、一本のファスナー１０を用いて、それに取りつける裏面材５、仕切り面材６及び表面材７を、上記態様にてファスナー１０に取りつけるので、２つのファスナーの厚を合わせた厚みにより厚くなって、携帯性や意匠性を損なうことはない。また、一つのファスナー１０なので、従来技術のように２つのファスナーの一方の噛み合わせ列同士が対向した状態で設置されその作業が煩雑になることもなく、作業性もよい。
【００４４】
以上、本発明の実施形態について述べたが、これらは本発明の例示であり、上記以外の様々な構成を採用することもできる。例えば、裏面材５、仕切り面材６、表面材７の形状として略矩形形状を例示したが、これに限る趣旨ではなく、裏面材５、仕切り面材６、表面材７を多角形、曲面で形成される形状などであって、一つのファスナー１０が適用される形態であってもよい。なお、ファスナー１０は、中央止部４ｃにおいて分割して２本としても、上記の厚みに関する効果を十分に奏する。また、二重収納袋１００の構造（二重収納体）がカバン等に適用される場合には、取っ手や、ポケット等の構成要素が付加されてもよい。すなわち、適用対象となる製品の種類に応じて、構成要素が適宜追加されうる。
【００４５】
以上、本発明の特徴をまとめると、次の通りである。
＜１＞  二重収納体（１００）は、
互いに噛み合い開放自在で対向した裏噛み合い列（１）および表噛み合い列（２）を具備するファスナー（１０）と、それぞれ可撓性を具備する裏面材（５）、仕切り面材（６）および表面材（７）とを有し、
前記裏噛み合い列（１）は、前記表噛み合い列（２）の表第一噛み合い部（２ａ）に噛み合う裏第一噛み合い部（１ａ）を具備し、
前記裏噛み合い列（１）は、前記表噛み合い列（２）の表第二噛み合い部（２ｂ）に噛み合う裏第二噛み合い部（１ｂ）を具備し、
前記裏噛み合い列（１）は、前記表噛み合い列（２）の表第三噛み合い部（２ｃ）に噛み合う裏第三噛み合い部（１ｃ）を具備し、
前記裏噛み合い列（１）は、前記表噛み合い列（２）の表第四噛み合い部（２ｄ）に噛み合う裏第四噛み合い部（１ｄ）を具備し、
前記裏面材（５）の裏第一側縁部（５ａ）、裏第二側縁部（５ｂ）、裏第三側縁部（５ｃ）および裏第四側縁部（５ｄ）にそれぞれ、前記裏第一噛み合い部（１ａ）、前記裏第二噛み合い部（１ｂ）、前記裏第三噛み合い部（１ｃ）および前記裏第四噛み合い部（１ｄ）が設置され、
前記表面材（７）の表第一側面部（７ａ）、表第二側縁部（７ｂ）、表第三側縁部（７ｃ）および表第四側縁部（７ｄ）にそれぞれ、前記表第一噛み合い部（２ａ）、前記表第二噛み合い部（２ｂ）、前記表第三噛み合い部（２ｃ）および前記表第四噛み合い部（２ｄ）が設置され、
前記裏第三側縁部（５ｃ）および前記裏第四側縁部（５ｄ）にそれぞれ、前記仕切り面材（６）の仕切り第三側縁部（６ｃ）および仕切り第四側縁部（６ｄ）が設置され、
前記表第一側縁部（７ａ）および前記表第二側縁部（７ｂ）にそれぞれ、前記仕切り面材（６）の仕切り第一側縁部（６ａ）および仕切り第二側縁部（６ｂ）が設置されていることを特徴とする二重収納体（１００）。
＜２＞前記ファスナー（１０）は、一本の線ファスナーからなってもよい。
＜３＞前記裏面材（５）、前記仕切り面材（６）および前記表面材（７）はそれぞれ略矩形形状であってもよい。
＜４＞二重収納体は収納袋であってもよい。
＜５＞二重収納体は、財布であってもよい。
【符号の説明】
【００４６】
１  裏噛み合い列
２  表噛み合い列
３ａ  第一スライダー
３ｂ  第二スライダー
４ｃ  中央止部
５  裏面材
５ａ  裏第一側縁部
５ｂ  裏第二側縁部
５ｃ  裏第三側縁部
５ｄ  裏第四側縁部
６  仕切り面材
６ａ  仕切り第一側縁部
６ｂ  仕切り第二側縁部
６ｃ  仕切り第三側縁部
６ｄ  仕切り第四側縁部
７  表面材
７ａ  表第一側縁部
７ｂ  表第二側縁部
７ｃ  表第三側縁部
７ｄ  表第四側縁部
１０  ファスナー
１００  二重収納袋（二重収納体）
【要約】
【課題】一本のファスナーで二つの収納部を展開自在に構成した二重収納体を提供する。
【解決手段】二重収納袋１００は、ファスナー１０、裏面材５、仕切り面材６及び表面材７とを有する。裏第一側縁部５ａ、裏第二側縁部５ｂ、裏第三側縁部５及び裏第四側縁部５ｄにそれぞれ、裏第一噛み合い部１ａ、裏第二噛み合い部１ｂ、裏第三噛み合い部１ｃ及び裏第四噛み合い部１ｄが設置される。表第一側面部７ａ、表第二側縁部７ｂ、表第三側縁部７ｃ及び表第四側縁部７ｄにそれぞれ、表第一噛み合い部２ａ、表第二噛み合い部２ｂ、表第三噛み合い部２ｃ及び表第四噛み合い部２ｄが設置される。裏第三側縁部５ｃ及び裏第四側縁部５ｄにそれぞれ、仕切り第三側縁部６ｃ及び仕切り第四側縁部６ｄが設置される。表第一側縁部７ａ及び表第二側縁部７ｂにそれぞれ、仕切り第一側縁部６ａ及び仕切り第二側縁部６ｂが設置される。
【選択図】図５【図１】
0006767069.tif 000002
【図２】
0006767069.tif 000003
【図３】
0006767069.tif 000004
【図４】
0006767069.tif 000005
【図５】
0006767069.tif 000006